(57)【特許請求の範囲】
【請求項１】
配線、配管材を敷設するための受け具であって、
配線、配管材を載せる載置部と、これの両端を折曲げた立上がり部と、当該立上がり部の上端部を外側に向けて形成したフランジ部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具のフランジ部とが当接するよう前記支持部材の立上がり部の上端部に配置されていることを特徴とする配線、配管材の受け具。
【請求項２】
配線、配管材を敷設するための受け具であって、
配線、配管材を載せる載置部と、これの両端を折曲げた立上がり部と、当該立上がり部の上端部を外側に向けて形成した段部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具の段部とが当接するよう前記支持部材の立上がり部の上端部に配置されていることを特徴とする配線、配管材の受け具。
【請求項３】
配線、配管材を敷設するための受け具であって、
配線、配管材を載せる載置部と、これの両端を折曲げた立上がり部と、当該立上がり部の上端部を側方に向けて突出してなる突出部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具の突出部とが当接するよう前記支持部材の立上がり部の上端部に配置されていることを特徴とする配線、配管材の受け具。
【発明の詳細な説明】
【０００１】
【産業上の利用分野】
本発明は、高所等に取付けられ配線、配管材を支える配線、配管材の受け具及びその積み重ね構造に関する。
【０００２】
【従来の技術】
従来より、はしご状または樋状の受け具が知られている。この第１の従来例の受け具１は、図２５に示すように、横桁２の両端から縦桁３，３を立ち上がらせて構成されている。そして、縦桁３，３を施設場所に取付け横桁２に配線、配管材を載置している。また、受け具１を運搬するときは、２枚の受け具１を向い合わせにして、互いに縦桁３の先端を横桁２に当接させて重ねている。
然しながら、上述の受け具１は、向い合わせ部分に無駄なスペース４が形成されるので、運送時の容積が大きくなるという問題がある。
【０００３】
そこで運送時の容積を減少させるため、図２６に示す第２の従来例が開発された。
この受け具５は、配線、配管材を載置する載置部６の両端から傾斜した側壁７を立設したものである。この受け具５は、下段の受け具５の内側面に上段の受け具５の外側面を合わせるように積み重ねている。この受け具５は、積み重ねたとき上段の受け具５が下段の受け具５の内部に浸入するので、第１の従来例に比べて運送時の容積を小さくすることができる。
【０００４】
【発明が解決しようとする課題】
上述した第１の従来例においては、受け具１を運送する時の容積が大きくなるという問題がある。また、第２の従来例においては、上下の受け具５を積み重ねるので、第１の従来例に比べて運送時の容積を小さくすることができる。しかしながら、この第２の従来例においても、側壁７の厚さのために上下の載置部６間に余分なスペース８が形成され、運搬時の容積を減少させるという目的が十分に達成されていないという問題がある。さらに、上段の受け具５が下段の受け具５の傾斜した側壁７内に浸入するので、上下段の受け具５の側壁７同士の結合力が大きくなり、上の受け具５が取外しにくいという新たな問題が発生した。
【０００５】
本発明は、上記の事情に鑑みてなされたもので、その目的は、受け具を積み重ねたときの容積を減少させることができ、しかも、重ねた受け具が容易に取外すことができる配線、配管材の受け具及び積み重ね構造を提供するにある。
【０００６】
【課題を解決するための手段】
請求項１の発明は、配線、配管材を敷設するための受け具であって、
配線、配管材を載せる載置部と、これの両端を折曲げた立上がり部と、当該立上がり部の上端部を外側に向けて形成したフランジ部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具のフランジ部とが当接するよう前記支持部材の立上がり部の上端部に配置されているところに特徴を有する。
【０００７】
請求項２の発明は、配線、配管材を敷設するための受け具であって、
配線、配管材を載せる載置部と、これの両端を折曲げた立上がり部と、当該立上がり部の上端部を外側に向けて形成した段部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具の段部とが当接するよう前記支持部材の立上がり部の上端部に配置されているところに特徴を有する。
【０００７】
請求項３の発明は、配線、配管材を敷設するための受け具であって、
配線、配管材を載せる載置部と、これの両端を折曲げた立上がり部と、当該立上がり部の上端部を側方に向けて突出してなる突出部からなり、間隔を存して並べられた複数個の支持部材と、
この支持部材の両立上がり部の上端部のみに取着され、複数個の支持部材どうしを連結する連結部材とを備え、
一の受け具の支持部材を、他の受け具の支持部材に対して少なくとも前記立上がり部の幅寸法だけ長手方向に位置をずらした状態で、他の受け具の連結部材間に挿入可能に形成されており、
前記連結部材は、一の受け具と他の受け具とが積み重ねられた状態において、前記一の受け具の連結部材と他の受け具の突出部とが当接するよう前記支持部材の立上がり部の上端部に配置されているところに特徴を有する。
【０００８】
【作用】
本発明の配線、配管材の受け具によれば、一の受け具例えば上段の受け具の支持部材を、他の受け具例えば下段の受け具の支持部材に対して長手方向にずらして配置すれば、上段の受け具の支持部材が下段の受け具の支持部材に対して平行に配置される。そこで上段の受け具を降ろせば、上段または下段の支持部材の立上がり部が下段または上段の受け具の連結部材間に挿入され、両者の支持部材が平行に配置される。２個の受け具は、上、下段の受け具の支持部材が長手方向にずれた状態で並び、連結部材が上下に位置して受け具が互いに接した状態で積み重ねられるので、無駄なスペースが発生せず、積み重ねたときの容積が減少できる。また、受け具相互間の食い込みがなく、個々の受け具が容易に取外すことができる。
【０００９】
本発明の受け具の積み重ね構造によれば、上、下段の受け具の支持部材の立上がり部が長手方向にずれて位置されて、上段または下段の受け具の支持部材の立上がり部が下段または上段の受け具の連結部材間に挿入され、両者が接した状態になる。従って、連結部材が上下に位置されて積み重ねられるので、上、下段の受け具が互いに接した状態に積み重なり、両者間に無駄なスペースが発生せず、運搬及び保管時の容積を減少できる。
【００１０】
【実施例又は参考例】
以下、本発明に係わる第１の参考例につき図１〜図４を参照して説明する。まず、図１及び図２において、受け具１１は、所定の間隔で平行に並べられた複数個の支持部材１２と、これら支持部材１２を、その上端部外側面において連結した２個の連結部材１３とから構成されている。このうち、支持部材１２は線材から形成され、配線、配管材を載せる載置部１４と、載置部１４の両端を折曲げた立上がり部１５とから構成され、上端部に連結部材１３が連結されている。また、立上がり部１５，１５間の外側の間隔Ａ寸法は、連結部材１３よりも下方の位置においては連結部材１３，１３間の内側の間隔Ｂ寸法よりも小に設定されている。
【００１１】
この受け具１１を積み重ねる場合はつぎの手順による。
１，下段の受け具１１を床面に置く。
２，積み重ねる受け具１１を上方に保持し、下段の受け具１１に対して長手方向に若干（立上がり部１５の幅寸法）ずらす。そして支持部材１２を下段の受け具１１の連結部材１３，１３間に挿入する（図３、図４参照）。支持部材１２の立上がり部１５，１５間の間隔Ａ寸法は、連結部材１３，１３間の間隔Ｂ寸法よりも小に設定されているので、支持部材１２は連結部材１３，１３間を通過し、上下の支持部材１２は長手方向に位置をずらした状態で重ねられ両者の連結部材１３が当接し停止する。
３，そこで、積み重ねた受け具１１を長手方向に移動して支持部材１２間の間隔をつめて両者の側面を接触させれば、積み重ねられた状態で複数個の受け具１１全体の長さが短くできる。
【００１２】
図５及び図６は、本発明の第２の参考例の受け具１８を示すもので、第１の参考例との相違は、載置部１４の下面に、複数の支持部材１２の間隔を保持する２本の保持棒１６が連結されており、連結部材１７が連結部材１３よりも大径の線材で形成されているものである。即ち連結部材１７の直径をｄ１、支持部材１２即ち載置部１４の直径をｄ２、保持棒１６の直径をｄ３としたとき、（ｄ１≧ｄ２＋ｄ３）の関係がある。この場合には、受け具１８を積み重ねると上下の支持部材１２は前述と同様に長手方向に位置をずらして降下し両者の連結部材１７が当接して停止する。そして、上段の受け具１８の保持棒１６は、下段の受け具１８の載置部１４の上部に位置し、両者間には若干の隙間が形成される。
【００１３】
図７及び図８は、本発明の第３の参考例の受け具１９を示すもので、第１の参考例との相違は、載置部１４の下面に、複数の支持部材１２の間隔を保持する２本の保持棒１６を連結したものである。この受け具１９においては、連結部材１３の直径ｄ４、支持部材１２即ち載置部１４の直径ｄ２及び保持棒１６の直径ｄ３間には、（ｄ４≦ｄ２＋ｄ３）の関係がある。この受け具１９を上下に重ねると、上段の受け具１９の保持棒１６が下段の受け具１９の載置部１４の上に載置され、両者の連結部材１３間には若干の隙間が形成されている。
【００１４】
図９及び図１０は、請求項１に係る本発明の第４の実施例の受け具２０を示すもので、第３の参考例との相違は、立上がり部１５の上端部に外側に向けたフランジ部１５ａを形成し、このフランジ部１５ａの下面に連結部材１３を連結したものである。この第４の実施例においても、上段の受け具２０の支持部材１２を下段の受け具２０の連結部材１３間に挿入することができ、上下段の受け具２０は、連結部材１３とフランジ部１５ａが当接し、保持棒１６が載置部１４の上に載置された状態で積み重ねることができる。
【００１５】
図１１及び図１２は、請求項１に係る本発明の第５の実施例の受け具４１を示すもので、第４の実施例との相違は、立上がり部１５の上端部のフランジ部１５ａの上面に連結部材１３を連結したものである。この第５の実施例においても、上段の受け具４１の支持部材１２を下段の受け具２０の連結部材１３間に挿入することができ、上下段の受け具４１は、連結部材１３がフランジ部１５ａに接触した状態で積み重ねられ、下端部には若干の隙間が形成される。
【００１６】
図１３及び図１４は、請求項２に係る本発明の第６の実施例の受け具４２を示すもので、第５の実施例との相違は、立上がり部１５の上端部に段部１５ｂを形成し、段部１５ｂの内側に連結部材１３を連結したものである。この第６の実施例においても、上段の受け具４２の支持部材１２を下段の受け具４２の連結部材１３間に挿入することができ、上下段の受け具４２は、連結部材１３が段部１５ｂに接触した状態で積み重ねられ、下端部には若干の隙間が形成される。
【００１７】
図１５及び図１６は、本発明の第７の参考例の受け具４３を示すもので、第３の参考例との相違は、立上がり部１５の上端部に上下に間隔をおいて２本の連結部材１３を連結したものである。この第７の参考例においても、上段の受け具４３の支持部材１２を下段の受け具４３の連結部材１３間に挿入することができ、上段の受け具４３の下側の連結部材１３が、下段の受け具４３の上側の連結部材１３に接触した状態で積み重ねられ、下端部には隙間が形成される。
【００１８】
図１７及び図１８は、請求項３に係る本発明の第８の実施例の受け具４４を示すもので、第３の参考例との相違は、支持部材１２の立上がり部１５に側方に突出する突出部１５ｃが設けられたものである。この第８の実施例においても、上段の受け具４４の支持部材１２を下段の受け具４３の連結部材１３間に挿入することができ、上段の受け具４３の突出部１５ｃが、下段の受け具４４の連結部材１３に接触した状態で積み重ねられ、下端部には隙間が形成される。
【００１９】
上記第１〜第８の実施例又は参考例によれば、つぎの効果を奏する。
１，上段の受け具１１，１８，１９，２０，４１，４２，４３，４４を、下段の受け具１１，１８，１９，２０，４１，４２，４３，４４に対して長手方向に若干ずらすことにより、上下の受け具１１，１８，１９，２０，４１，４２，４３，４４の支持部材１２を連結部材１３，１７に挿入することができ、これにより支持部材１２が互いに側面を接する状態に積み重ねられるので、従来のように製品の厚みが干渉しあって形成された無駄なスペースが発生せず、積み重ねた容積を著しく減少できる。
２，受け具１１，１８，１９，２０，４１，４２，４３，４４を積み重ねた状態において、上下の受け具１１，１８，１９，２０，４１，４２，４３，４４間には若干の隙間が形成されるので、上下の受け具間には第２の従来例にみられるような結合力が発生せず、上段の受け具１１，１８，１９，２０，４１，４２，４３，４４の取外しが容易にできる。
３，受け具１１，１８，１９，２０，４１，４２，４３においては、連結部材１３または下端部が接した状態で積み重ねることができるので、積み重ねた容積を一層減少させることができる。
【００２０】
図１９〜図２１は、本発明に係わる第９の参考例の受け具２１を示すもので、第３の参考例との相違は、２個の連結部材１３が、支持部材２２の立上がり部２３の中間部に取付けられている点である。この受け具２１においては、連結部材１３より上方の立上がり部２３ａ，２３ａの間隔Ｃ寸法及び連結部材１３より下方の立上がり部２３ｂ，２３ｂの間隔Ａ寸法は、何れも連結部材１３，１３間の間隔Ｂ寸法よりも小に設定されている。この受け具２１を積み重ねると、前述と同様図２１に示すように、上下の受け具２１が接するように積み重ねることができる。
【００２１】
ところで、この受け具２１が配設される場所は、建物の梁が突出していたり、形状が複雑な場合が多いのであるが、この受け具２１は、中間部に連結部材１３を取着し、連結部材１３より上方の立上がり部２３ａは自由端部を有し、その加工が可能である。従って、この第９の参考例においては、第３の参考例の効果に加えて、立上がり部２３ａの上端部の形状を切断したり曲げたりして適宜成形することにより、施設場所の形状に合わせて加工して設置することができるという優れた効果を奏する。
【００２２】
図２２〜図２３は、本発明に係わる第１０の参考例の受け具３１を示すもので、第３の参考例との相違は、２個の連結部材１３が、支持部材３２の立上がり部３３の下端部に取付けられている点である。この受け具３１においては、連結部材１３より上方の立上がり部３３の間隔Ｃ寸法連結部材１３，１３間の間隔Ｂ寸法よりも小に設定されている。この受け具３１を積み重ねると、図２４に示すように、上下の受け具３１が接するように積み重ねることができる。この第１０の参考例においても、第９の参考例と同様の効果を奏するものである。
【００２３】
図３、図４、図６、図８、図１０、図１２、図１４、図１６、図１８、図２１、図２４は、積み重ね構造の各実施例又は各参考例を示し、上述した第１〜第１０の実施例又は参考例の受け具を積み重ねた構造を示している。これらの実施例又は参考例においては、受け具１１，１８，１９，２０，２１，３１，４１，４２，４３，４４を接した状態で積み重ねられるので、容積を小さくすることができ、しかも受け具１１，１８，１９，，２０，２１，３１，４１，４２，４３，４４を簡単に取外すことができるという優れた効果を奏するものである。
【００２４】
【発明の効果】
本発明は、配線、配管材を敷設するための受け具であって、配線、配線、配管材を載せる載置部及びこれの両端を折曲げた立上がり部からなり、間隔を存して並べられた複数個の支持部材と、この支持部材の両立上がり部に取着され、複数個の支持部材どうしを連結する連結部材とを備え、一の受け具の支持部材を、他の受け具の支持部材に対して長手方向にずらした状態で、他の受け具の連結部材間に挿入可能に形成したので、積み重ねたときの容積を減少させ、しかも、重ねた受け具が容易に取外すことができるという優れた効果を奏する。
【００２５】
本発明の受け具の積み重ね構造は、配線、配管材を載せる載置部及びこれの両端を折曲げた立上がり部からなり、間隔を存して並べられた複数個の支持部材と、この支持部材の両立上がり部に取着され、複数個の支持部材どうしを連結する連結部材とを備えた配線、配管材の受け具を、上、下段の受け具の支持部材の側面が互いに接し、上、下段の受け具の何れか一方の支持部材を他の受け具の連結部材に挿入して、連結部材が上下に位置するように多段に積み重ねるので、運搬及び保管時の容積を減少できるという優れた効果を奏するものである。
【図面の簡単な説明】
【図１】受け具の第１の参考例の斜視図である。
【図２】受け具の側面図である。
【図３】受け具を積み重ねた状態の一部を示す斜視図である。
【図４】受け具を積み重ねた状態を示す側面図である。
【図５】受け具の第２の参考例の斜視図である。
【図６】受け具を積み重ねた状態を示す側面図である。
【図７】受け具の第３の参考例の斜視図である。
【図８】受け具を積み重ねた状態を示す側面図である。
【図９】受け具の第４の実施例の斜視図である。
【図１０】受け具を積み重ねた状態を示す側面図である。
【図１１】受け具の第５の実施例の側面図である。
【図１２】受け具を積み重ねた状態を示す側面図である。
【図１３】受け具の第６の実施例の側面図である。
【図１４】受け具を積み重ねた状態を示す側面図である。
【図１５】受け具の第７の参考例の側面図である。
【図１６】受け具を積み重ねた状態を示す側面図である。
【図１７】受け具の第８の実施例の側面図である。
【図１８】受け具を積み重ねた状態を示す側面図である。
【図１９】受け具の第９の参考例の斜視図である。
【図２０】受け具の側面図である。
【図２１】受け具を積み重ねた状態の一部を示す斜視図である。
【図２２】受け具の第１０の参考例の斜視図である。
【図２３】受け具の側面図である。
【図２４】受け具を積み重ねた状態の一部を示す斜視図である。
【図２５】第１の従来例を積み重ねた状態の側面図である。
【図２６】第２の従来例を積み重ねた状態の側面図である。
【符号の説明】
１１    受け具
１２    支持部材
１３    連結部材
１４    載置部
１５    立上がり部
１８    受け具
１９    受け具
２０    受け具
２１    受け具
２２    支持部材
２３ａ  立上がり部
２３ｂ  立上がり部
３１    受け具
３２    支持部材
３３    立上がり部
４１    受け具
４２    受け具
４３    受け具
４４    受け具
【図１】
0003694838.tif 000002
【図２】
0003694838.tif 000003
【図３】
0003694838.tif 000004
【図４】
0003694838.tif 000005
【図５】
0003694838.tif 000006
【図６】
0003694838.tif 000007
【図７】
0003694838.tif 000008
【図８】
0003694838.tif 000009
【図９】
0003694838.tif 000010
【図１０】
0003694838.tif 000011
【図１１】
0003694838.tif 000012
【図１２】
0003694838.tif 000013
【図１３】
0003694838.tif 000014
【図１４】
0003694838.tif 000015
【図１５】
0003694838.tif 000016
【図１６】
0003694838.tif 000017
【図１７】
0003694838.tif 000018
【図１８】
0003694838.tif 000019
【図１９】
0003694838.tif 000020
【図２０】
0003694838.tif 000021
【図２１】
0003694838.tif 000022
【図２２】
0003694838.tif 000023
【図２３】
0003694838.tif 000024
【図２４】
0003694838.tif 000025
【図２５】
0003694838.tif 000026
【図２６】
0003694838.tif 000027